【手続補正書】
【提出日】平成17年11月11日(2005.11.11)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、室内に複数の居住スペースおよび共用通路スペースが形成されている病室（いわゆる大部屋または多床病室）の空調システムおよびその方法、それらの空調に用いる間仕切り、および病室用空調システムに好適に用いることができる温度調節装置およびその方法に関する。
【０００２】
【従来の技術】
この種の病室用空調システムとしては、従来、図１０および図１１に示すようないわゆるファンコイルユニット方式のシステム１００が採用されていた。
【０００３】
この従来システム１００では、外気処理空調機１０１により冷却・減湿あるいは加熱・加湿した外気を、図示しないフィルターを通してクリーンエアとした後に、病室１００Ｒの天井裏スペース１１０を通る給気ダクト１０２および天井部分の給気口１０３を介して病室１００Ｒ内へ送風する一方、熱源装置１０４で作られた冷水、温水又は蒸気を、病室１００Ｒの天井に設けられたファンコイルユニット１０５（以下、ＦＣＵという）ユニットに送り、これにより病室１００Ｒ内の空気を適宜冷やし又は暖め、他方で、病室１００Ｒの出入り口のドア１００Ｄに設けられたドアグリル１００Ｇを介して廊下１０９に室内空気を流出させ、廊下１０９の天井に形成した排気口１０６および天井裏スペース１１０を通る排気ダクト１０７を介して排気ファン１０８により排気していた。
【０００４】
すなわち従来方式では、病室１００Ｒ内の空気はＦＣＵ１０５を循環器として図１０中に矢印で示すように循環しており、その流れ外から流れ内に対して給気口１０３からクリーンエアが送り込まれ、このクリーンエアがＦＣＵ１０５によって循環エア流れに乗りつつ室内空気と混合されるとともに、循環エアの一部がドアグリル１００Ｇおよび廊下１０９を介して排気されるようになっていた。
なお、図１０中１００ＲＡは共用通路スペースを示し、１００ＲＢは居住スペースを示している。
【０００５】
【発明が解決しようとする課題】
しかしながら、かかる従来の空調システムは、次に列挙する（イ）〜（ハ）の欠点を有していた。
（イ）近時、隔離病棟を除く一般病棟でも、入院患者がインフルエンザ等の空気感染タイプの感染症に集団で罹患することがあり、問題視されている。他方、従来は、設備コストが低い等の理由に、一般病棟ではＦＣＵ方式の空調システムが採用されてきた。
【０００６】
しかし、ＦＣＵ方式は、前述のとおり外気処理空調機によりクリーンなエアを病室内に供給したとしても、そのクリーンエアを室内の汚れた空気と混合してしまい、しかもこの混合空気が病室内を循環させてしまうものであるため、例えば病室内にインフルエンザ患者がいると、その感染源患者から放出されたウィルスを室内全体に広げ、病室内感染ひいては集団感染を助長する可能性があることが想定された。
【０００７】
（ロ）また、ＦＣＵ方式ではＦＣＵを循環器として室内全体の空気が循環するので、複数ある居住スペース毎に異なる空調を提供できない欠点を有していた。
【０００８】
（ハ）さらに、ＦＣＵ方式では、ＦＣＵの他、熱媒体の循環用配管やダクト等は各室の天井裏スペースに設けられるものの、これらのメンテナンスを行いにくいという欠点を有していた。すなわち、通常の場合、室内から天井裏スペースに作業員が入る等して配管等のメンテナンスを行ったり、室内からＦＣＵのフィルタ交換等を行うが、その際、天井裏スペースに堆積するもしくはフィルタ等に付着する塵埃が室内に落下する。他の建物ならば多少塵埃が舞っても良いかもしれないが、病院では、天井裏スペース等の塵埃が病室内に舞い込むのは、院内感染対策上好ましくない。またメンテナンスのために病室内の病人を移動できれば良いが、不可能な場合が多い。しかしメンテナンスを行わないと、天井裏スペースやＦＣＵ内に塵埃が溜まり、これも院内感染対策上好ましくない。
【０００９】
他方、ＦＣＵ方式の空調システムは、病院の他、ホテルの客室や大型ビル等の多数室タイプの建物に好適な空調設備として知られている。すなわち、これらの多数部屋タイプの建物では、室内の熱負荷が部屋毎に異なりそれも経時的に変動する。よって、必要最小限の熱負荷に対応する温度調節を、室外に設置された外気処理空調機に負担させるとともに、部屋毎に異なる室内発生負荷を、各部屋に設けたＦＣＵに負担させていた。
【００１０】
しかし、これでは、各部屋毎にＦＣＵを設け、また各ＦＣＵに対する熱媒体の循環管路を配管する必要があり、設備コストおよび設備のランニングコストが高くなるという欠点があった。
【００１１】
そこで、本発明の主たる課題は、病室内における空気感染の可能性を低減する病室用空調システムおよび空調方法、それらの空調に用いる間仕切り、および病院を含む多室構造建物の空調システムに好適に用いることができる温度調節装置およびその方法を提供することにある。
【００１２】
【課題を解決するための手段】
上記課題を解決した本発明のうち、請求項１記載の発明は、室内に複数の居住スペースおよび共用通路スペースが形成されている病室のための空調システムであって、
前記共用通路スペース内にクリーンエアを供給する給気手段と、前記居住スペース内のエアを室外へ排気する排気手段とを備え、
前記供給手段から前記共用通路スペースおよび前記居住スペースをこの順に介して前記排気手段に至るエア流れを形成するように構成したことを特徴とする病室用空調システムである。
【００１３】
請求項２記載の発明は、前記複数の居住スペースの間および各前記居住スペースと前記共用通路スペースとの間に配され、前記共用通路スペースに臨む部分に通風孔が形成され、この通風孔以外の部位における空気流通を実質的に遮る間仕切りを含むことを特徴とする請求項１記載の病室用空調システムである。
【００１４】
請求項３記載の発明は、前記排気手段によって病室内から取り出された排出エアと前記給気手段によって室内へ送出される前の未送出供給エアとの熱交換を行う熱交換器と、
この熱交換器にて熱交換を行う、前記未送出供給エアおよび前記排出エアの少なくとも一方の量を調節する風量調節手段とを備え、
この風量調節手段によって、熱交換を行う前記未送出供給エアおよび前記排出エアの少なくとも一方の量を調節することで、前記病室内へ送出されるエアの温度を調節するように構成した請求項１または２記載の病室用空調システムである。
【００１５】
請求項４記載の発明は、前記排気手段によって病室内から取り出された排出エアと前記給気手段によって室内へ送出される前の未送出供給エアとの熱交換を行う熱交換器を備え、
前記排気手段は、熱交換器の一方の流路を介して前記居住スペース内に対して連通する排気路を含み、前記給気手段は、前記熱交換器の他方の流路を介して前記共用通路スペース内に対して連通する給気路を含み、
前記排気路における前記熱交換器への入側部分から分岐し、前記熱交換器を避けて、前記排気路における前記熱交換器からの出側部分へ通じるバイパス路を設けるとともに、前記バイパス路および前記入側部分における前記分岐部から前記熱交換器までの部分の両方に、風量調節ダンパをそれぞれ介在させ、
これら風量調節ダンパの開度調節により、熱交換を行う前記排出エアの風量調節を行うことによって、前記病室内に供給する供給エアの温度調節を行うように構成した請求項１または２記載の病室用空調システムである。
【００１６】
請求項５記載の発明は、前記排気手段によって病室内から取り出された排出エアと前記給気手段によって室内へ送出される前の未送出供給エアとの熱交換を行う熱交換器を備え、
前記排気手段は、熱交換器の一方の流路を介して前記居住スペース内に対して連通する排気路を含み、かつ一定風量の排気を行うものであり、一方前記給気手段は、前記熱交換器の他方の流路を介して前記共用通路スペース内に対して連通する給気路を含み、かつ一定風量の給気を行うものであり、
前記排気路における前記熱交換器への入側部分から分岐し、前記熱交換器を避けて、前記排気路における前記熱交換器からの出側部分へ通じるバイパス路を設けるとともに、前記バイパス路および前記入側部分における前記分岐部から前記熱交換器までの部分の両方に、風量調節ダンパをそれぞれ介在させ、これらのうち一方のダンパの通過風量が他方のダンパの通過風量に対して反比例するように、両ダンパが連動して開度調節動作を行うように構成し、
これら風量調節ダンパの連動開度調節により、熱交換を行う前記排出エアの風量調節を行うことによって、前記病室内に供給する供給エアの温度調節を行うように構成した請求項１または２記載の病室用空調システムである。
【００１７】
請求項６記載の発明は、室内に複数の居住スペースおよび共用通路スペースが形成されている病室のための空調方法であって、
前記共用通路スペース内にクリーンエアを供給するとともに、前記居住スペース内のエアを室外へ排気し、
前記供給手段から前記共用通路スペースおよび前記居住スペースをこの順に介して前記排気手段に至るエア流れを形成させることを特徴とする病室の空調方法である。
【００１８】
請求項７記載の発明は、室内に複数の居住スペースおよび共用通路スペースが形成されている病室に使用され、前記複数の居住スペースの間および各前記居住スペースと共用通路スペースとの間をそれぞれ仕切る間仕切りであって、
前記共用通路スペースに臨む部分に通風孔が形成されていることを特徴とする病室用間仕切りである。
【００１９】
請求項８記載の発明は、空調機で所定温度に調節された供給エアを、経時的に一定の給気量でもって室内に供給するとともに、室内エアを経時的に一定の排気量でもって排気路を介して排気する、空調システムに用いる温度調節装置であって、
熱交換器と、この熱交換器の一方の流路の入側および出側にそれぞれ連通する、排出エア流入路および排出エア流出路と、熱交換器の他方の流路の入側および出側にそれぞれ連通する、給気エア流入路および給気エア流出路とを備え、
前記排出エア流入路および給気エア流出路は前記室内に対して連通させるものであり、
前記熱交換器への排出エア流入路から分岐し、前記熱交換器を避けて、前記熱交換器からの排出エア流出路へ通じるバイパス路を設けるとともに、前記バイパス路および前記排出エア流入路における前記分岐部から前記熱交換器までの部分の両方に、風量調節ダンパをそれぞれ介在させ、これらのうち一方のダンパの通過風量が他方のダンパの通過風量に対して反比例するように、両ダンパが連動して開度調節動作を行うように構成し、
これら風量調節ダンパの連動開度調節により、熱交換を行う前記排出エアの風量調節を行うことによって、前記室内に供給する供給エアの温度調節を行うように構成したことを特徴とする空調システム用温度調節装置である。
【００２０】
【発明の実施の形態】
以下、本発明の実施の形態について添付図面を参照しつつ詳述する。
前述のとおり、本発明の病室用空調システムは、室内に患者が居住する複数の居住スペースと共用通路スペースとが形成されている、いわゆる大部屋タイプのしかも隔離病棟を除く一般病棟の病室に好適な空調システムである。その代表的な病室の概略縦断面を図１に示し、横断面を図２に示した。図２からも判るように、本例の病室１では、入出口を介し廊下２に通じる共用通路スペース１Ａが中央を横切って設けられ、共用通路スペース１Ａを挟んで両側にそれぞれ３つの居住スペース１Ｂ，…が並設されている。また、図示の病室１はいわゆる天井裏スペース３を有するものである。
【００２１】
かかる病室１に対して給気手段を設けるべく、天井裏スペース３をクリーンエアの流通路となし、且つ天井面における共用通路スペース１Ａ上側の面材の一部（または全部でも良い）としてパンチングメタル等の多孔板３Ａ，…を配し、室内１への吹出し口３ａ，…を形成している。また、天井裏スペース３はクリーンエアの流通路となるからメンテナンスが必要な空調機器は据え付けていない。天井裏スペース３には後述する室外空調機７（これも給気手段を構成する）からの給気管路５を連通させている。
【００２２】
また本例では、各居住スペース１Ｂ，…内のエアを個別に取出し排気する排気手段を設けるべく、各居住スペース１Ｂ，…内に排気口ユニット４，…をそれぞれ配している。図示例の排気口ユニット４，…は、各居住スペース１Ｂ，…がわから開閉自在若しくは開度調節自在なようにするべく、排気口４ａ，…の開口サイズを調節するスライド式の開閉蓋４ｂ，…を備えている。排気口ユニット４，…の排気口には室外への排気管路６を連通させており、この排気管路６，…には後述する排気ファン６Ｆ（これも排出手段を構成する）が介在している。
【００２３】
かくしてシステム運転時には、空調機７からのクリーンエアを吹出し口３ａ，…から共用通路スペース１Ａ内にのみクリーンエアが供給され、また排気ファン６Ｆにより各居住スペース１Ｂ，…にそれぞれ設けた排気口ユニット４，…および排気管路６，…を介して各居住スペース１Ｂ，…内のエアが病室１外へそれぞれ排出されることになる。また、ＦＣＵ等の室内機による室内二次処理は行われない。
【００２４】
したがって、病室１内における空気流は、吹出し口３ａ，…から共用通路スペース１Ａおよび各居住スペース１Ｂ，…をこの順にそれぞれ介してそれぞれの排気口４ａ，…に至る流れとなり、各エア流れは実質的に一方向となる。特に各居住スペース１Ｂ，…内に排気口ユニット４，…を設け、そこから個別的に積極的な排気を行うので、各居住スペース１Ｂからこれに隣接する他の居住スペース１Ｂへの空気流や、居住スペース１Ｂ，…から共用通路スペース１Ａへの逆流は殆どない。一方、病室１内の塵埃やウィルス等はこの空気流に乗って排気されることになるから、病室１内の空気のクリーン度は、空気流とは逆方向に吹出し口３ａ，…に近くなるほど高くなる傾向を示す。すなわち、各居住スペース１Ｂ，…よりも共用通路スペース１Ａの空気のほうがクリーンとなり、また、居住スペース１Ｂ，…間では空気汚染源がない居住スペース１Ｂほどクリーンとなる。換言すれば、公的なスペースほどクリーンな状態となるのである。空調中は、病室１内を看護婦や患者が移動することにより多少の変動はあるもの、基本的にかかる状態が維持されるようになる。
【００２５】
例えば、仮にインフルエンザに感染した患者がいたとしても、そこから放出されるウィルス等は、前述の整流効果によって共用通路スペース１Ａや他の居住スペース１Ｂ，…には移動しにくく、共用通路スペース１Ａからその感染源患者の居住スペース１Ｂを通ってそこの排気口４ａに向かう空気流に乗って、排気口４ａに吸い込まれ病室１外へ排出されるようになる。
【００２６】
よって、医者や看護婦等の医療従事者や見舞い客等の健常者は、いずれかの居住スペース１Ｂに入ることはあっても、そこに至る共用通路スペース１Ａではよりクリーンな空気を吸っていられるので、従来のＦＣＵ方式のように病室１内全体に汚染空気が広がり易い場合と比べれば感染の可能性を低減できる。また、前述したように居住スペース１Ｂ，…間における汚染空気の移動も少ないので、患者から患者への感染の可能性も低減できる。少なくとも、かかる感染等に対する患者の不安を少なくすることはできる。
【００２７】
さらに、本例では天井裏スペース３はクリーンエアが流通するため、病室１内よりもクリーンなスペースとなる。よって、天井裏スペース３の衛生管理が実質的に不要となる利点を有する。特に天井裏には空調機器が全くないので病室１側からの天井裏スペース３における機器メンテナンスも実質的に必要ない。
【００２８】
他方、上述の空調システムは、吹出し口３ａ，…と排気口４ａ，…との位置関係のみにより特殊な室内整流を行うものであるが、次のようにすることで、その室内整流効果を高めることができる。
【００２９】
すなわち、複数の居住スペース１Ｂ，…の間および各居住スペース１Ｂ，…と共用通路スペース１Ａとの間に、空調システムの一構成として、共用通路スペース１Ａに臨む部分に通風孔３０Ｈ，…が形成され、この通風孔３０Ｈ，…以外の部位における空気流通を実質的に遮る間仕切り３０，…を配するのが好ましい。これら間仕切り３０，…は、居住スペースの共用通路スペースとの境界、および横に隣接する他の居住スペース（他の居住スペースに挟まれている場合にはそのうち一方側に隣接する他の居住スペース）との境界を遮る引き伸ばし幅を有するようにする。また高さは、天井に取付けたカーテンレールから床面までとする。
【００３０】
ここに、従来の病室について図１および図２に基づいて説明すると、この間仕切り３０，…に類似するものとして、居住スペース１Ｂ，…間および各居住スペース１Ｂ，…と共用通路スペース１Ａとの間にカーテン（図示せず）を吊るしていることが多い。しかし、かかる従来のカーテンはベッドＢ，…が隠れる程度までしか下方に延在しておらず、カーテン下側に大きな隙間があるとともに、カーテンレールが天井吊下げタイプとされ、カーテン上側にも大きな隙間があることが多く、複数の居住スペース１Ｂ，…の間および各居住スペース１Ｂ，…と共用通路スペース１Ａとの間の空気流通を遮るものではない。また、これらの隙間により通風がなされるため、従来のものには本発明の間仕切りの特徴たる通風孔３０Ｈ，…が形成されていない。
【００３１】
本発明の間仕切り３０，…の具体例を図３および図４に示した。図示例の間仕切りは、いわゆるアコーディオンカーテンタイプのものであり（もちろん、他のタイプ、例えば布等の可撓性材料で形成されたスクリーンタイプのものでも良い）、特徴的には、図４にも示すように、共用通路スペース１Ａに臨む面に通風孔（透孔）３０Ｈ，…が行列状に多数形成されている。また請求項４記載の発明に従ってこの通風孔３０Ｈ，…を開閉自在とするべく、図３に示すように、通風孔３０Ｈの開閉を行う開閉シート３１を取り付けている。開閉シート３１は、その一端縁が通風孔３０Ｈの周縁部に固定されており、その自由端部がこれに対応する通風孔３０Ｈの周縁部に対してファスニングテープ３２（開閉シート３１の裏面にも張付けるが図示していない）を用いて着脱自在とされている。したがって、開閉シート３１により塞ぐ通風孔３０Ｈ，…の数やその位置を適宜設定することによって、当該居住スペース１Ｂに対する空調の効き加減を調節することができる。例えば空調が効き過ぎると感じた患者は自分のスペース１Ｂの間仕切り３０に取付ける開閉シート３１数を増加させたり、通風孔３０Ｈ，…からの風が直接当たらないように、上下端部の通風孔３０Ｈ，…には開閉シート３１を取り付けず、中央部分の通風孔３０Ｈ，…のみ開閉シート３１を取り付けたりすることができる。なお、通風孔３０Ｈ全体を塞がないように開閉シート３１をずらして取付ければ、通風孔３０Ｈ，…の開度を調節できる。なお、図４は開閉シートを取付けていない状態を示している。
【００３２】
他方、本発明の病室用空調システムは上述のように室内における空調処理を行わないものであり、そのため、室内への熱供給媒体として空気のみを用いるいわゆる全空気方式に分類される。したがって、本発明の範囲において、例えば全空気方式として知られている公知の給気排気形態、例えばいわゆる単一ダクト・一定風量方式や、単一ダクト・レヒート方式、単一ダクト・可変風量方式、マルチゾーンユニット方式、二重ダクト方式、各階ユニット方式を採用することができる。
【００３３】
このうち、単一ダクト・一定風量方式は、次に示す利点があることで知られている。
（１）単熱源であり、中央機械室に機器類がまとまっているので、運転管理・メンテナンスが容易である。
（２）空調機器類が空調対象の室外にあるので、消音対策をし易い。
（３）高度な空気処理機能を備えることができる。
これらの利点は同方式が病院への適用に向いていることを示している。
【００３４】
しかし、単一ダクト・一定風量方式は、単熱源であるため基本的には各室の個別温度調節を行えない。個別温度制御を行う場合には、周知のようにゾーニングを行うほかないが、空調機数を増やすのは前述（１）および（２）の利点を有しないことになるので好ましくない。また、一般病棟への適用を考慮すると、全空気方式は基本的に設備コストおよび運転コストが高いという欠点がある。
【００３５】
したがって好適には、基本的に単一ダクト・一定風量方式を踏襲するものの、請求項３〜５記載の発明に従う温度調節形態を採用するのが好ましい。図５には、請求項５記載の発明に従った場合の温度調節装置１０を含む病室用空調システム例のフローを示した。病室１部分の詳細については前述の通りであるので説明は略す。
【００３６】
本システムでは、居住スペース１Ｂ，…内に対して連通する排気管路６に、熱交換器１１の一方の流路を介在させ、共用通路スペース１Ａ内に対して連通する給気管路５に、熱交換器１１の他方の流路を介在させており、病室１内から取り出された排出エアと、空調機７において温度調節等された後の、室内へ送出される前の未送出供給エアとの熱交換を行うように構成している。
【００３７】
また、この熱交換器１１にて熱交換を行う未送出供給エアの量を調節する風量調節手段を設けるべく、排気管路６における熱交換器１１への入側部分６ＩＮから分岐し、熱交換器１１を避けて、熱交換器１１の出側部分６ＯＵＴへ通じるバイパス路１２を設けるとともに、分岐部から熱交換器１１までの排気管路部分６Ｘおよびバイパス路１２の両方に、熱交換風量調節ダンパ１３Ａおよびバイパス風量調節ダンパ１３Ｂをそれぞれ介在させている。また、熱交換器１１における熱交換前の排出エアの温度を検出する温度センサ１４を設け、この温度センサ１４による検出温度に応じて、両ダンパ１３Ａ，１３Ｂの開度調節を行うように構成している。これら風量調節ダンパ１３Ａ，１３Ｂに関し、好適には、一方のダンパ１３Ａ（１３Ｂ）の通過風量が他方のダンパ１３Ｂ（１３Ａ）の通過風量に対して反比例するように、両ダンパ１３Ａ，１３Ｂが連動して開度調節動作を行うように構成する。
【００３８】
さらに具体的かつ好適な例を図６〜図８に示した。本例１０では、仕切板ＳＷにより上層部２０Ｕおよび下層部２０Ｌの二層に分けられるとともに、上層部内に一方の流路が連通し且つ下層部内に他方流路が連通する熱交換器１１がほぼ水平方向中央部に配されたボックス型ケーシング２０が用いられる。熱交換器１１としては、熱交換率上は全熱交換器が好ましいことはいうまでもない。上層部２０Ｕに関し、一方側面には排出エア入口２４が設けられ、反対側面には排出エア出口２２が設けられている。また遮断壁Ｗ，…を縦横に配することによって、排出エア入口２４に連通する排出エア入口室２４Ｒが設けられるとともに、この排出エア入口室２４Ｒと排出エア出口２２とが熱交換器１１の一方の流路を介して連通され、排出エア入口室２４Ｒと排出エア出口２２とがバイパス路１２Ｒによって熱交換器１１の一方の流路を介さず連通されている。また、排出エア入口室２４Ｒには温度センサ１４が配されている。
【００３９】
一方、下層部２０Ｌに関しては、一方側面に未送出供給エア出口２３が設けられ、反対側面に未送出供給エア入口２１が設けられるとともに、遮断壁Ｗ，…によってそれら未送出供給エア入口２１と未送出供給エア出口２３とが熱交換器１１の他方の流路を介して連通されている。
【００４０】
さらに、排出エア入口室２４Ｒとバイパス路１２Ｒとの連通部および排出エア入口室２４Ｒと熱交換器１１の排出エア入側室１１Ｒとの連通部に、回動開閉動作を行う、バイパス風量調節ダンパ１３Ｂおよび熱交換風量調節ダンパ１３Ａをそれぞれ設け、これら一対の回動ダンパ１３Ａ，１３Ｂは、一方のダンパ面と他方のそれとが直交するように同一回動軸１３Ｓに取付けられ、この回動軸１３Ｓはケーシング２０外部に取付けられた回転駆動源Ｍによって回動するように構成してある。したがって、１個の駆動源Ｍにより、一方のダンパ１３Ａ（１３Ｂ）の通過風量が他方のダンパ１３Ｂ（１３Ａ）の通過風量に対して反比例するように、両ダンパ１３Ａ，１３Ｂが連動して開度調節動作を行う。なお、かかる反比例調節は、給気量および排気量をともに一定とするとの前提を必要とする。
【００４１】
かかる構成により、一体的なボックスユニット型の温度調節装置１０とすることができる。このユニット型温度調節装置１０は、病室１に隣接する廊下２の天井裏スペース３に設置するとメンテナンス上好ましい。
【００４２】
図５にもどる。本システム例では、たとえば中央機器室に外気処理空調機７が設置されており、ファン７Ａによって、取り入れた外気をフィルタ７Ｂで清浄化し、冷凍機８またはボイラ９で作られ送られてくる冷水又は温水を利用して熱交換器７Ｃで冷やしまたは暖めた後、この処理空気を前述の温度調節装置１０に送給するようになっている。
【００４３】
外気処理空調機７から送出されるクリーンエアは、一定温度・一定風量で温度調節装置１０に至り、当該温度調節装置１０においてバイパス風量調節ダンパ１３Ｂおよび熱交換風量調節ダンパ１３Ａの各開度に応じて調節された量の、熱交換器１１を通る排出エアとの間で熱交換がなされ、所定の温度となり、病室１内に供給される。排出エアも一定風量とされる。排出エアは、バイパス風量調節ダンパ１３Ｂおよび熱交換風量調節ダンパ１３Ａの各開度に応じて、熱交換器１１を通り未送出供給エアとの間で熱交換を行うものと、バイパス路１２を通り熱交換を行わないものとに分けられ、これらが再び集合し混合され、排気される。そのため、熱交換器１１において熱交換を行った排出エアと、バイパス路１２を迂回した排出エアとの温度差および量の差に応じて、室内供給エアの温度が定まる。したがって、バイパス風量調節ダンパ１３Ｂおよび熱交換風量調節ダンパ１３Ａの各開度を調節することで、熱交換を行う供給エアの量を調節すれば、室内に送出されるエアの温度を調節することができる。
【００４４】
ここに、かかる温度調節を良好に達成するためには、ＦＣＵ方式と異なり、外気処理空調機７は常に略最大限の熱負荷量を負担する動作を行う必要があり、設備コストは高くなる。しかし、上述のように空調機から送出される温度調節済みエアを、室内からの排出エアが蓄えている排熱を利用して温度調節すれば、温度調節用のランニングコストを低くすることができ、一般病棟へ適用しやすくなる。
【００４５】
かかる原理に基づき、温度調節装置１０では、病室１内の熱負荷や排出エアの熱交換前の温度、外気処理空調装置７の送出エア温度（一定）に応じて、バイパス風量調節ダンパ１３Ｂおよび熱交換風量調節ダンパ１３Ａの各開度を調節し、室内温度調節を行う。なお、室内の熱負荷と熱交換風量との関係は下記（１）式のようになる。この関係を図示すると図９のようになる。
熱負荷＝（吹出風量−熱交換風量×η）×吹出温度差×０．２９
η：熱交換器の熱交換効率                                ・・・（１）
吹出温度差＝室内設定温度−吹出温度
【００４６】
本例では熱負荷が大きくなると、バイパス風量調節ダンパ１３Ｂは開方向に回動する一方、これに連動して熱交換風量調節ダンパ１３Ａが閉方向に回動する。よって、バイパス路１２を介してバイパスされる排出エア量が増し、熱交換する排出エア量が少なくなるため、未送出供給エアの熱交換熱量も少なくなる。つまり、外気処理空調機７により直接病室１内の空調を行う直結状態に近くなる。
【００４７】
逆に、熱負荷が小さくなると、バイパス風量調節ダンパ１３Ｂは閉方向に回動する一方、これに連動して熱交換風量調節ダンパ１３Ａは開方向に回動する。よって、熱交換する排出エアの量が多くなり、バイパス路１２を介してバイパスされる量が減るため、未送出供給エアの熱交換熱量が多くなる。つまり、外気処理空調機７による一次処理空気を、熱交換器１１で最大限の熱交換（二次処理。室内ではない）を行った後に、病室１内へ送給する状態に近くなる。かくして、温度調節されたクリーンエアが共用通路スペース１Ａに対して供給される。
【００４８】
以上の温度調節形態を採用すれば、単一ダクト・一定風量方式の利点を最大限有しながらも、ゾーニングを行わずに各室の温度調節ができる。しかも、排熱利用となるので、熱交換器における２次処理のランニングコストを低くすることができる。また、本温度調節装置を、前述の本発明の間仕切り３０と併用すれば、各室毎にかつ各居住スペース毎に快適な空調を提供できるようになる。
【００４９】
＜その他＞
（Ａ）請求項１の、上記病室用空調システム例では、各居住スペースに排気口をそれぞれ設けたが、これと異なり、一部の居住スペースについてのみ排気口を設けることもできる。この場合にも、少なくとも共用通路スペースは上記例と同様にクリーンに保たれる。
【００５０】
（Ｂ）本発明が対象とする病室は、共用通路スペースを有するものであるが、その数には限定されない。よって、通常多く見られる、共用通路スペースが１本形成されている病室はもちろんのこと、２本もしくはそれ以上の共用通路スペースが形成されている病室も本発明空調システムの適用対象となる。なお、複数本の共用通路スペースが形成されている場合には、それらの一部または全部に対して給気するように構成することができる。
【００５１】
（Ｃ）図示しないが、熱交換を行う未送出供給エアおよび排出エアの両方に対して風量調節ダンパおよびパイパス路をそれぞれ個別に設け、熱交換を行う両エアをそれぞれ風量調節しても良い。また、上記温度調節装置例とは反対に、熱交換を行う排出エアについては風量調節をおこなわず、熱交換を行う未送出供給のみ風量調節しても良い。
【００５２】
（Ｄ）他方、前述の空調システムにおける温度調節装置は、病院以外の空調システムについても好適に用いることができる。
【００５３】
（Ｅ）上記例の間仕切りでは、通風孔３０Ｈを開閉する開閉シート３１の取付け構造に関し、ファスニングテープを用いて開閉シート３１の自由端部を間仕切り３０に対して着脱自在としているが、他の形態のファスナーやボタン等を含む他の止着手段を採用しても良い。
【００５４】
（Ｆ）上記例の温度調節を行うためには、前述のとおり、実質的に最大限の熱負荷量を負担する必要があるので、冷凍機８としてはより低温（５℃以下）の冷水を安定供給できるものが好ましく、具体的には、本出願人が先の特願平４−４１１３３号において提案した流下液膜式氷蓄熱装置（３℃の低温水を供給できる）を推奨する。ボイラ９についても同様であり、より高温な水（５０℃以上）を安定供給できるものが好ましい。
【００５５】
【発明の効果】
以上のとおり、本発明によれば、病室内における空気感染の可能性を低減することができる。また各室の個別温度調節が簡易な装置で可能となり、しかもその温度調節も低ランニングコストで行うことができる。
【手続補正２】
【補正対象書類名】明細書
【補正対象項目名】図面の簡単な説明
【補正方法】変更
【補正の内容】
【図面の簡単な説明】
【図１】
本発明に係る病室用空調システムを採用した病室の概略縦断面図である。
【図２】
図１の横断面図である。
【図３】
本発明に係る間仕切りの斜視説明図である。
【図４】
本発明に係る間仕切りの通路側正面図である。
【図５】
本発明に係る病室用空調システムの全体フロー図である。
【図６】
温度調節ユニットの上層部の横断面図である。
【図７】
温度調節ユニットの下層部の横断面図である。
【図８】
図６のＩ−Ｉ断面図である。
【図９】
室内負荷、吹出温度、吹出風量、熱交換器通過風量、バイパス風量の関係を示すグラフである。
【図１０】
従来のＦＣＵ方式の空調システムを適用した病室の縦断面図である。
【図１１】
従来のＦＣＵ方式の空調システムの全体フロー図である。
【符号の説明】
１…病室、１Ａ…共用通路スペース、１Ｂ…居住スペース、３ａ…クリーンエア吹出し口、４ａ…排気口。
【手続補正３】
【補正対象書類名】図面
【補正対象項目名】図２
【補正方法】変更
【補正の内容】
【図２】
2000257908.tif 000001